(57)【特許請求の範囲】
【請求項１】
撮影手段で撮影された撮影像を表示する撮影表示機能を備えた携帯端末装置であって、
前記撮影表示機能が選択された場合に、前記撮影手段によって撮影された撮影像の内容が変化したか否かを認識する変化認識手段と、
前記変化認識手段によって前記撮影像の内容が変化したことが認識された場合に、前記撮影像内に文字が含まれているか否かを判別する撮影像内文字判別手段と、
前記撮影像内文字判別手段によって前記撮影像内に文字が含まれていると判別された場合に、前記撮影像内の文字が所定の文字サイズで表示されるか否かを判別する文字サイズ判別手段と、
前記撮影像内文字判別手段によって前記撮影像内に文字が含まれていないと判別された場合に、前記撮影手段の撮影倍率を所定の撮影倍率に決定し、前記文字サイズ判別手段によって前記撮影像内の文字が所定の文字サイズで表示されないと判別された場合に、前記所定の文字サイズで表示されるように前記撮影手段の撮影倍率を決定する撮影倍率決定手段と、
前記撮影倍率決定手段によって決定された撮影倍率で撮影された撮影像を表示する表示制御手段と、
前記撮影倍率決定手段によって決定された前記撮影手段の撮影倍率を変更する撮影倍率変更手段と、
前記撮影倍率変更手段によって前記撮影倍率が変更された場合に、当該変更後の撮影倍率で撮影された撮影像内に含まれている文字についての表示における文字サイズを認識する文字サイズ認識手段と、
前記文字サイズ認識手段によって認識された文字サイズを前記所定の文字サイズとして記憶する記憶手段と、
を具備し、
前記文字サイズ判別手段は、前記撮影手段によって撮影された撮像内の文字が前記記憶手段に記憶されている所定の文字サイズで表示されるか否かを判別し、
前記撮影倍率決定手段は、前記撮影手段によって撮影された撮像内の文字が前記記憶手段に記憶されている所定の文字サイズで表示されるように前記撮影手段の撮影倍率を決定する、
ことを特徴とする携帯端末装置。
【請求項２】
前記記憶手段は、前記撮影倍率変更手段によって前記撮影手段の撮影倍率が変更される毎に、前記文字サイズ認識手段によって認識された文字サイズを前記所定の文字サイズとして更新記憶する、
ことを特徴とする請求項１記載の携帯端末装置。
【請求項３】
前記撮影表示機能以外に所定の情報表示機能を有し、
前記記憶手段は、前記情報表示機能によって表示される情報の文字サイズが変更された場合に、当該変更後の文字サイズを前記所定の文字サイズとして記憶する、
ことを特徴とする請求項１記載の携帯端末装置。
【請求項４】
前記撮影手段で撮影された撮影像を記録する撮影記録機能のほか、前記撮影手段で撮影された撮影像を表示する撮影表示機能を備えた携帯端末装置であって、
特定状態か否かを判別する特定状態判別手段と、
前記特定状態判別手段による判別の結果、特定状態にあれば、前記撮影表示機能を選択し、特定状態になければ、前記撮影記録機能を選択する選択手段と、
を更に具備することを特徴とする請求項１記載の携帯端末装置。
【請求項５】
コンピュータに対して、
撮影手段で撮影された撮影像を表示する撮影表示機能が選択された場合に、前記撮影手段によって撮影された撮影像の内容が変化したか否かを認識する機能と、
前記撮影像の内容が変化したことが認識された場合に、前記撮影像内に文字が含まれているか否かを判別する機能と、
前記撮影像内に文字が含まれていると判別された場合に、前記撮影像内の文字が所定の文字サイズで表示されるか否かを判別する機能と、
前記撮影像内に文字が含まれていないと判別された場合に、前記撮影手段の撮影倍率を所定の撮影倍率に決定し、前記撮影像内の文字が所定の文字サイズで表示されないと判別された場合に、前記所定の文字サイズで表示されるように前記撮影手段の撮影倍率を決定する機能と、
前記決定された撮影倍率で撮影された撮影像を表示する機能と、
前記決定された前記撮影手段の撮影倍率を変更する機能と、
前記撮影倍率が変更された場合に、当該変更後の撮影倍率で撮影された撮影像内に含まれている文字についての表示における文字サイズを認識する機能と、
前記認識された文字サイズを前記所定の文字サイズとして記憶する機能と、
を実現させ、
前記撮影像内の文字が所定の文字サイズで表示されるか否かを判別する機能は、前記撮影手段によって撮影された撮像内の文字が記憶されている所定の文字サイズで表示されるか否かを判別する機能を含み、
前記撮影倍率を決定する機能は、前記撮影手段によって撮影された撮像内の文字が記憶されている所定の文字サイズで表示されるように前記撮影手段の撮影倍率を決定する機能を含む、
プログラム。
【発明の詳細な説明】
【技術分野】
【０００１】
この発明は、撮影手段で撮影された撮影像をスルー表示する撮影表示機能を備えた携帯端末装置及びプログラムに関する。
【背景技術】
【０００２】
従来、カメラ機能を備えた携帯端末装置としては、接写撮影が可能なカメラ機能の場合には、このカメラ機能を電子ルーペ（虫眼鏡）として活用可能な携帯端末装置が知られている。例えば、カメラ機能によって撮影された画像データを拡大してそのまま表示するようにした技術が知られている（特許文献１参照）。
【特許文献１】特開２００２−３７４４５０号公報
【発明の開示】
【発明が解決しようとする課題】
【０００３】
しかしながら、上述した先行技術にあっては、カメラ機能によって撮影された画像データを拡大ボタン、縮小ボタンを操作することによって拡大、縮小して表示するものであり、所望する大きさで文字表示させるには、その都度、拡大ボタン、縮小ボタンを操作する必要があり、ユーザに大きな負担をかけるほか、必ずしも、毎回、同じ大きさで画像データを表示することができるとは限らなかった。
【０００４】
この発明の課題は、文字を撮影した撮影像を表示する場合に、特別な操作を行うことなく、常に同じサイズで文字データを表示できるようにすることである。
【課題を解決するための手段】
【０００５】
請求項１記載の発明は、撮影手段で撮影された撮影像を表示する撮影表示機能を備えた携帯端末装置であって、前記撮影表示機能が選択された場合に、前記撮影手段によって撮影された撮影像の内容が変化したか否かを認識する変化認識手段と、前記変化認識手段によって前記撮影像の内容が変化したことが認識された場合に、前記撮影像内に文字が含まれているか否かを判別する撮影像内文字判別手段と、前記撮影像内文字判別手段によって前記撮影像内に文字が含まれていると判別された場合に、前記撮影像内の文字が所定の文字サイズで表示されるか否かを判別する文字サイズ判別手段と、前記撮影像内文字判別手段によって前記撮影像内に文字が含まれていないと判別された場合に、前記撮影手段の撮影倍率を所定の撮影倍率に決定し、前記文字サイズ判別手段によって前記撮影像内の文字が所定の文字サイズで表示されないと判別された場合に、前記所定の文字サイズで表示されるように前記撮影手段の撮影倍率を決定する撮影倍率決定手段と、前記撮影倍率決定手段によって決定された撮影倍率で撮影された撮影像を表示する表示制御手段と、前記撮影倍率決定手段によって決定された前記撮影手段の撮影倍率を変更する撮影倍率変更手段と、前記撮影倍率変更手段によって前記撮影倍率が変更された場合に、当該変更後の撮影倍率で撮影された撮影像内に含まれている文字についての表示における文字サイズを認識する文字サイズ認識手段と、前記文字サイズ認識手段によって認識された文字サイズを前記所定の文字サイズとして記憶する記憶手段と、を具備し、前記文字サイズ判別手段は、前記撮影手段によって撮影された撮像内の文字が前記記憶手段に記憶されている所定の文字サイズで表示されるか否かを判別し、前記撮影倍率決定手段は、前記撮影手段によって撮影された撮像内の文字が前記記憶手段に記憶されている所定の文字サイズで表示されるように前記撮影手段の撮影倍率を決定する、ことを特徴とする。
更に、コンピュータに対して、上述した請求項１記載の発明に示した主要機能を実現させるためのプログラムを提供する（請求項５記載の発明）。
【０００９】
なお、上述した請求項記載の発明は次のようなものであってもよい。
前記記憶手段は、前記撮影倍率変更手段によって前記撮影手段の撮影倍率が変更される毎に、前記文字サイズ認識手段によって認識された文字サイズを前記所定の文字サイズとして更新記憶する（請求項２記載の発明）。
【００１０】
前記撮影表示機能以外に所定の情報表示機能を有し、前記記憶手段は、前記情報表示機能によって表示される情報の文字サイズが変更された場合に、当該変更後の文字サイズを前記所定の文字サイズとして記憶する（請求項３記載の発明）。
【００１１】
前記撮影手段で撮影された撮影像を記録する撮影記録機能のほか、前記撮影手段で撮影された撮影像を表示する撮影表示機能を備えた携帯端末装置であって、特定状態か否かを判別する特定状態判別手段と、前記特定状態判別手段による判別の結果、特定状態にあれば、前記撮影表示機能を選択し、特定状態になければ、前記撮影記録機能を選択する選択手段と、を更に具備する（請求項４記載の発明）。
【発明の効果】
【００１２】
この発明は、文字を撮影した撮影像を表示する場合に、特別な操作を行うことなく、常に同じサイズで文字データを表示することができ、見易くなって使い勝手も良くなり、実用効果の高いものとなる。
【発明を実施するための最良の形態】
【００１３】
以下、図１〜図６を参照して本発明の実施例を説明する。
この実施例は、携帯端末装置として携帯電話装置に適用した場合を例示したもので、図１は、この携帯電話装置の基本的な構成要素を示したブロック図である。
この携帯電話装置は、例えば、２つの筐体（操作部筐体、表示部筐体）が開閉可能に取り付けられた折り畳み自在なもので、通話機能、電子メール機能、インターネット接続機能（Ｗｅｂアクセス機能）などのほか、カメラ撮影された撮影像を記録する撮影記録機能（カメラ機能）と、カメラ撮影された撮影像をそのまま表示する撮影表示機能（電子ルーペ機能）が備えられている。
【００１４】
ＣＰＵ１は、記憶部２内の各種のプログラムに応じてこの携帯電話装置の全体動作を制御する中核的な中央演算処理装置である。記憶部２のプログラム領域には、後述する図５及び図６に示す動作手順に応じて本実施例を実現するためのプログラムが格納され、また、そのデータ領域には、後述するメール文字サイズＭＣＳ、ルーペ文字サイズＬＣＳが格納されている。メモリ３は、例えば、ワーク領域を有する内部メモリであ。無線通信送受信部４は、アンテナに接続された送受信部（ベースバンド部）の受信側から信号を取り込んで受信ベースバンド信号に復調したのち、音声信号処理部５を介して受話スピーカＳＰから音声出力させる。また、無線通信送受信部４は、送話マイクＭＣから入力された音声データを音声信号処理部５から取り込み、送信ベースバンド信号に符号化したのちに送受信部の送信側に与えられてアンテナから送信出力させる。
【００１５】
一方、電子メール機能、インターネット接続機能の動作時に、無線通信送受信部４を介して受信取得した表示データは、高精細液晶、有機ＥＬなどを使用した表示部６に与えられて表示される。操作部７は、ダイヤル入力、文字入力、コマンド入力などを行うもので、撮影部８の起動を指示するカメラキー、撮影開始を指示するシャッタボタンなどが設けられており、ＣＰＵ１は、操作部７からの入力信号に応じた処理を実行する。撮影部８は、光学ズーム駆動、オートフォーカス駆動、シャッター駆動を制御したり、露出、ホワイトバランスなどを調整したりすることが可能なほか、被写体に撮影レンズを接近させて撮影する近距離撮影（接写撮影）が可能な構成となっている。
【００１６】
カメラ向き検出部９は、例えば、回転角速度を検出するジャイロセンサを有する構成で、装置本体の姿勢、つまり、カメラの撮影レンズが下向きになっているか否かを検出するもので、ＣＰＵ１１は、撮影部８の起動時に、カメラ向き検出部９の検出結果と被写体までの距離（近接撮影か）に応じて動作モードの切り替えを行うようにしている。すなわち、ＣＰＵ１１は、撮影記録機能（カメラ機能）を動作可能な状態とする動作モード（カメラモード）と撮影表示機能（ルーペ機能）を動作可能な状態とする動作モード（ルーペモード）との切り替えを行うようにしている。距離センサ１０は、通常のオートフォーカス機能と同様に、レンズ位置から被写体までの距離を自動計測するもので、この計測距離はデジタル値に変換されてＣＰＵ１に与えられる。
【００１７】
図２は、撮影部８の詳細な構成を示した図である。
撮影レンズ系１１からの被写体像は、絞り機構１２を通してＣＣＤなどの撮像素子１３に結像される。光学系駆動部１４は、撮影レンズ系１１内の移動レンズの位置を制御して焦点合わせを行ったり、絞り機構１２の絞り量を可変して露出調整を行ったり、撮影倍率を調整したりするもので、測距センサ、光量センサなどを含むセンサ部１５などからの出力に基づいてＣＰＵ１は、光学系駆動部１４の動作を制御する。駆動回路１６は、撮像素子１３によって光電変換された各画素対応の電荷を画像信号として順次取り出してアナログ処理回路１７に与える。
【００１８】
このアナログ処理回路１７は、入力された画像信号に色分離、ゲイン調整、ホワイトバランスなどを施すもので、Ａ／Ｄ変換回路１８によってデジタル変換された画像データは、バッファレジスタ１９に一時記憶される。信号処理回路２０は、画像データを輝度信号及び色差信号に変換出力する処理回路であり、圧縮伸張回路３１は、シャッター操作に応答して画像データを記録保存する際に画像データの圧縮処理を行う処理回路である。ここで、カメラモード下では圧縮伸張回路３１によって圧縮処理された画像データを記録部２あるいは記録メディア（図示せず）に与えて記録保存させるが、上述したルーペモード下では信号処理回路２０によって処理された画像データを表示部６に与えてスルー表示（そのまま表示）させる。
【００１９】
図３、図４は、ルーペモードにおいて近距離撮影（接写撮影）によって被写体（印刷物）を撮影した場合の表示例である。
ＣＰＵ１は、ルーペモードに切り替えられている状態において撮影部８によって近接撮影された撮影像（印刷物）に文字が含まれているか否かを判別すると共に、文字が含まれていれば、予め記憶されているルーペ文字サイズＬＣＳを記憶部２から読み出し、撮影像内の文字は、このルーペ文字サイズＬＣＳに略一致するか否かを判別する。すなわち、略一致とは、見た目上において識別不能なほど、両文字サイズが近似していることであり、ＣＰＵ１は、両文字サイズが完全に一致する場合に限らず、略一致するか否かの判別をも行う
【００２０】
ルーペ文字サイズＬＣＳは、ルーペモードにおいて文字を常に同じ大きさに表示させるための文字サイズであり、ユーザ操作によって予め任意に設定可能なほか、上述したメール文字サイズＭＣＳが当該ルーペ文字サイズＬＣＳとして設定可能なもので、ＣＰＵ１は、文字の大きさがルーペ文字サイズＬＣＳと一致しなければ、この文字データがルーペ文字サイズＬＣＳで表示されるように撮影部８の光学ズームを調整して撮影倍率を変更すると共に、この撮影倍率で撮影された撮影像を表示部６から表示させるようにしている。なお、上述したメール文字サイズＭＣＳは、電子メールの内容を表示する際の文字サイズであり、予めユーザ操作によって任意に設定されたものである。
【００２１】
図３は、同じ印刷物であっても携帯端末装置（撮影レンズ）とその印刷物まで距離が違う場合を例示したもので、図３（１）に示した被写体までの距離Ｌ１よりも、図３（２）に示した被写体までの距離Ｌ２の方が近くても、撮影倍率の変更によって表示部６内の文字を常に同一サイズで表示するようにしている。また、図４は携帯端末装置（撮影レンズ）と印刷物までの距離が同じであっても印刷物の内容が異なる場合、つまり、印刷物内の文字の大きさが異なる場合を示したもので、図４（１）に示した印刷文字の大きさよりも、図４（２）に示した印刷文字の大きさの方が小さくても、撮影倍率の変更によって表示部６内の各文字を常に同じサイズで表示されるようにしている。
【００２２】
次に、この実施例における携帯電話装置の動作概念を図５及び図６に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。すなわち、記録媒体のほかに、伝送媒体を介して外部供給されたプログラム／データを利用してこの実施例特有の動作を実行することもできる。
【００２３】
図５及び図６は、電源投入に伴って実行開始される携帯電話装置の全体動作を示したフローチャートである。
先ず、ＣＰＵ１は、無線通信送受信部４を作動させるほか、所定の待受画像を読み出して表示させる待受処理を行う（ステップＳ１）。この待受状態においてＣＰＵ１は、無線通信送受信部４でのメール着信を検出すると（ステップＳ２でＹＥＳ）、記憶部２からメール文字サイズＭＣＳを読み出し、この着信メールの内容を当該メール文字サイズＭＣＳで表示させる（ステップＳ３）。そして、ユーザ操作などに応じて、メール保存、メール消去、返信メール作成などの他の処理を実行したのち（ステップＳ４）、上述の待受状態に戻る（ステップＳ１）。
【００２４】
また、待受状態において何らかの操作が行われると（ステップＳ５でＹＥＳ）、撮影部８の起動を指示するカメラキーが操作されたのか（ステップＳ６）、メールに関する各種設定を指示するメール設定操作が行われたのかを調べ（ステップＳ１７）、その他の操作が行われた場合には（ステップＳ１７でＮＯ）、操作に対応する処理として、例えば、発信処理、メール作成処理などを実行する（ステップＳ２３）。いま、メール設定操作が行われた場合には（ステップＳ１７でＹＥＳ）、メール内容を表示する際の文字サイズの設定を指示する操作が行われたのかを調べる（ステップＳ１８）。
【００２５】
いま、文字サイズの設定以外のメール設定が指示されたときには（ステップＳ１８でＮＯ）、その指示に応じた設定処理を実行するが（ステップＳ２２）、文字サイズの設定指示であれば（ステップＳ１８でＹＥＳ）、メール表示用として予め用意されている各種の文字サイズ（選択候補）の中から任意の文字サイズがユーザ操作によって選択指定されると（ステップＳ１９）、この文字サイズをメール文字サイズＭＣＳとして記憶させるほか（ステップＳ２０）、ルーペ文字サイズＬＣＳとしても記憶させる（ステップＳ２１）。これによって、メール文字サイズＭＣＳとルーペ文字サイズＬＣＳとは同じ値となる。
【００２６】
また、待受状態においてカメラキーが操作されると（ステップＳ６でＹＥＳ）、それに応じて撮影部８を起動したのち（ステップＳ７）、カメラ向き検出部９を駆動してその検出結果を取得し、撮影レンズ系１１を構成する対物レンズ（カメラレンズ）は下向きであるかを調べる（ステップＳ８）。ここで、印刷物などを撮影するためにカメラレンズが下向きになっていれば（ステップＳ８でＹＥＳ）、距離センサ１０を駆動して印刷物などの被写体までの測定距離を取得し、この測定距離は２０ｃｍ以下か、つまり、近距離撮影（接写撮影）かを調べる（ステップＳ９）。
【００２７】
ここで、カメラレンズが下向きではない場合（ステップＳ８でＮＯ）あるいは下向きであっても被写体までの距離が２０ｃｍを越えている場合には（ステップＳ９でＮＯ）、カメラ機能を動作可能な状態とするカメラモード下での撮影記録処理に移る。すなわち、撮影部８からの撮影像をファインダ画像として表示させたのちに（ステップＳ１０）、操作待ち状態となる（ステップＳ１１）。ここで、撮影倍率の変更を指示する変更操作が行われると（ステップＳ１２でＹＥＳ）、撮影部８の光学系駆動部１４を制御することによって撮影部８の撮影倍率を変更する処理（ズームイン／ズームアウト処理）を行う（ステップＳ１３）。また、シャッタボタンが操作されると（ステップＳ１４でＹＥＳ）、撮影部８からの撮影像を記録保存する処理を行う（ステップＳ１５）。また、撮影終了を指示する操作が行われると（ステップＳ１６でＹＥＳ）、カメラモードを解除して上述の待受状態に戻る（ステップＳ１）。
【００２８】
一方、カメラ向き検出部９の検出結果に基づいてカメラレンズが下向きであると判断され（ステップＳ８でＹＥＳ）、かつ、被写体までの距離が２０ｃｍ以下と判断された場合には（ステップＳ９でＹＥＳ）、図６のフローに移り、以下、電子ルーペ機能を動作可能な状態とするルーペモード下でのルーペ処理に移る。すなわち、撮影部８からの撮影像をそのまま表示（スルー表示）させたのち（ステップＳ２４）、この撮影像を解析することによって撮影像内に文字が含まれているかを調べる（ステップＳ２５）。ここで、撮影像内に文字が含まれていれば、その文字サイズを認識し（ステップＳ２６）、この文字サイズとルーペ文字サイズＬＣＳとを比較する（ステップＳ２７）。
【００２９】
その結果、撮影像内の文字のサイズがルーペ文字サイズＬＣＳよりも小さければ（ステップＳ２８でＹＥＳ）、撮影像内の文字がルーペ文字サイズＬＣＳで表示されるように、撮影部８の光学系駆動部１４を制御することによって撮影部８の撮影倍率を上げる（アップする）ズームイン処理を実行するが（ステップＳ２９）、撮影像内の文字データの大きさがルーペ文字サイズＬＣＳよりも大きければ（ステップＳ３０でＹＥＳ）、撮影像内の文字データがルーペ文字サイズＬＣＳで表示されるように、撮影部８の光学系駆動部１４を制御することによって撮影部８の撮影倍率を下げる（ダウンする）ズームアウト処理を実行する（ステップＳ３１）。このようにして撮影部８の撮影倍率を変更することによって撮影像内の文字データがルーペ文字サイズＬＣＳと完全一致あるいは略一致すると（ステップＳ３０でＮＯ）、変更後の撮影倍率で撮影された撮影像をスルー表示させる（ステップＳ３２）。なお、撮影像内の文字とルーペ文字サイズＬＣＳとの一致具合は、見た目上差異がない程度であればよい。
【００３０】
このように撮影像内の文字データを所定のサイズで表示されている状態において、撮影部８からの撮影像を逐次解析することによって撮影対象が変化したか、つまり、撮影像の内容が変化したかを調べ（ステップＳ３３）、被写体が変わったり、被写体との距離が変わったりして撮影像が変化した場合には、ステップＳ５に戻って撮影像内の文字が含まれているか否かを判別し、その判別結果に応じて以下、上述の動作を繰り返すが、撮影像の内容に変化がなければ（ステップＳ３３でＮＯ）、操作有無を調べる（ステップＳ３４）。
【００３１】
ここで、ルーペモードにおいて撮影倍率の変更を指示する変更操作が行われると（ステップＳ３５でＹＥＳ）、撮影部８の光学系駆動部１４を制御することによって撮影部８の撮影倍率を変更する処理（ズームイン／ズームアウト処理）を行ったのち（ステップＳ３６）、この変更後の撮影倍率で撮影された撮影像内に文字サイズを認識し（ステップＳ３７）、この文字サイズをルーペ文字サイズＬＣＳとして記憶してその値を更新する（ステップＳ３８）。なお、撮影終了を指示する操作が行われると（ステップＳ３９でＹＥＳ）、ルーペモードを解除して上述の待受状態に戻る（図５のステップＳ１）。
【００３２】
また、ルーペモードにおいて撮影像内に文字が含まれていなければ（ステップＳ５でＮＯ）、ルーペ用の撮影倍率として予め決められている“３倍”に変更したのち（ステップＳ４０）、操作有無を調べながら（ステップＳ４１）、この変更後の撮影倍率“３倍”で撮影された撮影像をスルー表示させる（ステップＳ４５）。この状態において、撮影倍率の変更を指示する変更操作が行われると（ステップＳ４２でＹＥＳ）、撮影部８の光学系駆動部１４を制御することによって撮影部８の撮影倍率を変更する処理（ズームイン／ズームアウト処理）を行い（ステップＳ４３）、また、撮影終了を指示する操作が行われると（ステップＳ４４でＹＥＳ）、ルーペモードを解除して上述の待受状態に戻る（図５のステップＳ１）。
【００３３】
以上のように、この実施例においてＣＰＵ１は、撮影部８からの撮影像を表示する撮影表示機能（電子ルーペ機能）を動作可能とするルーペモードが選択された場合に、この撮影像内の文字がルーペ文字サイズＬＣＳか否かを判別し、ルーペ文字サイズＬＣＳでなければ、撮影像内の文字がルーペ文字サイズＬＣＳで表示されるように撮影部８の撮影倍率を変更し、この撮影倍率で撮影された撮影像を表示するようにしたので、文字を撮影した撮影像を表示する場合に、特別な操作を行うことなく、常に同じサイズで文字データを表示することができ、見易くなって使い勝手も良くなり、実用効果の高いものとなる。
【００３４】
ＣＰＵ１は、撮影像内の文字がルーペ文字サイズＬＣＳか否かの判別に先立って、撮影像内に文字が含まれているか否かを判別し、撮影像内に文字が含まれている場合には、撮影像内の文字がルーペ文字サイズＬＣＳで表示されるように撮影部８の撮影倍率を変更するが、撮影像内に文字が含まれていなければ、ルーペ用の撮影倍率として予め決められている“３倍”に変更するようにしたから、撮影像内に文字が含まれていない場合でも常に同じ倍率での表示が可能となる。
【００３５】
ＣＰＵ１は、撮影像の内容が変化した際に、この撮影像内に文字が含まれているか否かを判別するようにしたので、被写体が変わったり、被写体との距離が変わったりして撮影像が変化する毎に、その変化に追随して文字サイズを変えることができる。
【００３６】
ルーペモードにおいて撮影部８の撮影倍率が任意に変更された場合に、この変更後の撮影倍率で撮影された撮影像内に含まれている文字のサイズを認識し、この文字サイズをルーペ文字サイズＬＣＳとして記憶するようにしたので、ユーザ操作によってルーペ文字サイズＬＣＳを任意に設定することが可能となる。この場合、撮影倍率が変更される毎にルーペ文字サイズＬＣＳを更新するようにしたので、撮影倍率とルーペ文字サイズＬＣＳとの連動が可能となる。
【００３７】
メール表示用として用意されている各種の文字サイズの中から任意の文字サイズがユーザ操作によって選択指定されると、この文字サイズをメール文字サイズＭＣＳとして記憶するほか、ルーペ文字サイズＬＣＳとして記憶するようにしたので、ルーペ文字サイズＬＣＳをメール文字サイズＭＣＳに合わせることが可能となる。
【００３８】
カメラレンズが下向きではない場合あるいは下向きであっても被写体までの距離が２０ｃｍを越えている場合には、カメラモードに移行させるが、カメラレンズが下向きで、被写体までの距離が２０ｃｍ以下の場合には、ルーペモードに移行させるようにしたので、モードの切り替え操作を行うことなく、カメラモードとルーペモードとの切り替えが可能となる。
【００３９】
なお、上述した実施例においては、カメラ向き検出部９を設けて、カメラレンズが下向きかを判別することによってカメラモードとルーペモードとの切り替えを行うようにしたが、これに限らず、正面向きでの近距離撮影（接写撮影）を検出した場合でもルーペモードに切り替えるようにしてもよい。
【００４０】
また、ルーペモードへの切り替え条件として、被写体までの距離が２０ｃｍ以下としたが、その数値をユーザ操作によって任意に変更可能としてもよい。また、接写撮影をルーペモードへの切り替え条件としたが、遠方の看板などをズーム撮影した場合でもルーペモードへの切り替えを可能としてもよく、撮影像内に文字が含まれていることを条件にルーペモードへ切り替えるようにしてもよい。
【００４１】
また、上述した実施例においては、ルーペモードにおいて撮影部８の撮影倍率が任意に変更された場合あるいはメール文字サイズＭＣＳが変更された場合に、ルーペ文字サイズＬＣＳを更新するようにしたが、前回のルーペモード時に表示されたルーペ文字サイズＬＣＳを保存しておき、今回のルーペモード時に前回のルーペ文字サイズＬＣＳを読み出して今回の表示サイズとしてもよい。
【００４２】
また、上述した実施例においては、撮影部８の光学系駆動部１４を制御することによって撮影部８の撮影倍率を変更するようにしたが、光学ズームの撮影倍率を変更する場合に限らず、画像処理によってデジタルズームの撮影倍率を変更する場合であってもよい。
その他、携帯電話装置に限らず、例えば、ＰＤＡ、携帯型パーソナルコンピュータ（ＰＣ）、電子カメラ、電子腕時計、音楽再生機などの携帯端末装置であっても同様に適用可能である。
【図面の簡単な説明】
【００４３】
【図１】携帯端末装置として適用した携帯電話装置の基本的な構成要素を示したブロック図。
【図２】撮影部８の詳細な構成を示した図。
【図３】ルーペモードにおいて近距離撮影（接写撮影）によって被写体（印刷物）を撮影した場合の表示例で、携帯端末装置（撮影レンズ）と被写体までの距離が異なっても常に同一サイズで文字表示されることを示した図。
【図４】ルーペモードにおいて近距離撮影（接写撮影）によって被写体（印刷物）を撮影した場合の表示例で、印刷文字の大きさが異なっても常に同一サイズで文字表示されることを示した図。
【図５】電源投入に伴って実行開始される携帯電話装置の全体動作の概要を示したフローチャート。
【図６】図５に続くフローチャート。
【符号の説明】
【００４４】
１  ＣＰＵ
２  記憶部
４  無線通信送受信部
６  表示部
７  操作部
８  撮影部
９  カメラ向き検出部
１０  距離センサ
ＭＣＳ  メール文字サイズ
ＬＣＳ  ルーペ文字サイズ
【図１】
0004941747.tif 000002
【図２】
0004941747.tif 000003
【図３】
0004941747.tif 000004
【図４】
0004941747.tif 000005
【図５】
0004941747.tif 000006
【図６】
0004941747.tif 000007